(57)【要約】【課題】耐久性を向上させた水栓水栓を提供する。【解決手段】本発明の水栓は、湯及び水を混合する湯水混合弁（３０）と、湯水混合弁で混合した湯水の吐水量及び吐水方向を変更する切替弁（３１）と、が軸方向に並んで内部に取り付けられ、且つ、湯水混合弁に連通する湯流入口（２１０ａ）及び水流入口（２１０ｂ）を形成した筒状の主管部（２１０）と、主管部の湯流入口を含む位置から分岐し、湯供給源からの湯を湯流入口へ供給する湯路を内部に形成した湯供給用枝管部（２１１）と、主管部の水流入口を含む位置から分岐し、水供給源からの水を水流入口へ供給する水路を内部に形成した水供給用枝管部（２１２）と、を備え、主管部、湯供給用枝管部、及び水供給用枝管部は、樹脂により一体で形成されており、湯流入口及び水流入口のそれぞれは、開口方向から見て、主管部の周方向に長手方向を有し、且つ、角を有しない長孔形状に形成されている。【選択図】図５
2019082227.tif 000002
【特許請求の範囲】
【請求項１】
湯及び水を混合する湯水混合弁と、前記湯水混合弁で混合した湯水の吐水量及び吐水方向を変更する切替弁と、が内部に取り付けられ、且つ、前記湯水混合弁に連通する湯流入口及び水流入口を形成した筒状の主管部と、
前記主管部の前記湯流入口を含む位置から分岐し、湯供給源からの湯を前記湯流入口へ供給する湯路を内部に形成した湯供給用枝管部と、
前記主管部の前記水流入口を含む位置から分岐し、水供給源からの水を前記水流入口へ供給する水路を内部に形成した水供給用枝管部と、
を備え、
前記主管部、前記湯供給用枝管部、及び前記水供給用枝管部は、樹脂により一体で形成されており、
前記湯流入口及び前記水流入口のそれぞれは、開口方向から見て、前記主管部の周方向に長手方向を有し、且つ、角を有しない長孔形状に形成されている、水栓。
【請求項２】
前記湯流入口及び前記水流入口のそれぞれは、開口方向から見て、湾曲した曲線で形成される、請求項１に記載の水栓。
【請求項３】
前記湯流入口及び前記水流入口のそれぞれは、開口方向から見て、楕円形状を有する、請求項２に記載の水栓。
【請求項４】
前記湯流入口の開口面積は、前記湯路の流路断面積より小さく、
前記水流入口の開口面積は、前記水路の流路断面積より小さい、
請求項１〜３のいずれか一項に記載の水栓。
【請求項５】
前記湯流入口は、前記湯路から前記主管部に向かって連続して形成されており、
前記水流入口は、前記水路から前記主管部に向かって連続して形成されており、
前記湯流入口及び前記水流入口が設けられている部分の前記主管部の厚みは、それ以外の部分の前記主管部の厚みより大きい、
請求項１〜４のいずれか一項に記載の水栓。
【請求項６】
前記湯流入口は、前記湯供給用枝管部の中心軸に対して偏心しており、
前記水流入口は、前記水供給用枝管部の中心軸に対して偏心している、
請求項１〜５のいずれか一項に記載の水栓。
【発明の詳細な説明】
【技術分野】
【０００１】
本発明は、水栓に関する。
【背景技術】
【０００２】
水栓として、例えば、湯と水とを混合して吐水する水栓が知られている（例えば、特許文献１参照。）
【０００３】
特許文献１には、金属製の外ハウジングの内側に樹脂製の内ハウジングを有する混合水栓が開示されている。特許文献１の混合水栓は、湯供給源から供給されてきた湯及び水供給源から供給されてきた水を、それぞれ、湯流入用開口及び水流入用開口を通じて、内ハウジング内部へ供給している。
【先行技術文献】
【特許文献】
【０００４】
【特許文献１】特開２０１２−１７２７７２号公報
【発明の概要】
【発明が解決しようとする課題】
【０００５】
近年、耐久性を向上させた水栓が求められている。
【０００６】
本発明は、前記課題を解決するもので、耐久性を向上させた水栓を提供する。
【課題を解決するための手段】
【０００７】
本開示の一態様に係る水栓は、
湯及び水を混合する湯水混合弁と、前記湯水混合弁で混合した湯水の吐水量及び吐水方向を変更する切替弁と、が内部に取り付けられ、且つ、前記湯水混合弁に連通する湯流入口及び水流入口を形成した筒状の主管部と、
前記主管部の前記湯流入口を含む位置から分岐し、湯供給源からの湯を前記湯流入口へ供給する湯路を内部に形成した湯供給用枝管部と、
前記主管部の前記水流入口を含む位置から分岐し、水供給源からの水を前記水流入口へ供給する水路を内部に形成した水供給用枝管部と、
を備え、
前記主管部、前記湯供給用枝管部、及び前記水供給用枝管部は、樹脂により一体で形成されており、
前記湯流入口及び前記水流入口のそれぞれは、開口方向から見て、前記主管部の周方向に長手方向を有し、且つ、角を有さない長孔形状に形成されている。
【発明の効果】
【０００８】
以上のように、本発明の水栓によれば、耐久性を向上させることができる。
【図面の簡単な説明】
【０００９】
【図１】図１は、樹脂製の水栓の外観を示す斜視図である。
【図２】図２は、図１の水栓ユニットの分解図である。
【図３】図３は、図２の水栓ユニットを更に分解して示す分解図である。
【図４】図４は、水栓ユニットの内部の概略構成を示す斜視図である。
【図５】図５は、水栓本体部の概略斜視図である。
【図６】図６は、水栓本体部の概略内部構成図である。
【図７】図７は、湯供給用枝管部及び水供給用枝管部の延在する方向から見た場合の水栓本体部の概略内部構成図である。
【図８】図８は、図６の水栓本体部をＡ−Ａ線で切断した概略断面図である。
【発明を実施するための形態】
【００１０】
（本発明に至った経緯）
近年、樹脂により一体形成された水栓が開発されている。例えば、湯水混合弁及び切替弁を内部に備える樹脂製の主管部を有する水栓が開発されている。
【００１１】
このような樹脂製の水栓では、主管部に設けられた湯流入口及び水流入口を通じて湯及び水が主管部内部へ流入すると、湯及び水の圧力によって主管部の周方向に応力がかかる。この応力により、湯流入口及び水流入口から亀裂が入り、樹脂製の主管部が破損する可能がある。
【００１２】
これは、本発明者らが樹脂で一体形成された水栓を開発することによって、新たに発見した課題である。
【００１３】
そこで、本発明者らは、湯流入口及び水流入口の形状を工夫することによって、湯流入口及び水流入口にかかる応力を低減することを検討し、以下の発明に至った。
【００１４】
以下、実施形態について、添付の図面を参照しながら説明する。また、各図においては、説明を容易なものとするため、各要素を誇張して示している。
【００１５】
（実施の形態１）
本発明の実施の形態１に係る水栓について説明する。
【００１６】
［全体構成］
図１は、本発明の実施の形態１に係る水栓１０の斜視図である。実施の形態１において、水栓１０は浴室の壁面に取り付けられるサーモスタット式水栓である。図１に示すように、水栓１０は、水栓ユニット２０と、ハンドルユニット５０とを備える。水栓ユニット２０は、吐水を行うためのユニットである。ハンドルユニット５０は、水栓ユニット２０に取り付けられ、水栓ユニット２０の吐水における吐水量、吐水方向、および湯水の混合度合いを変更可能にするユニットである。
【００１７】
＜水栓ユニット＞
図２は、図１の水栓ユニット２０の一部を分解した斜視図である。図３は、図２の水栓ユニット２０をさらに分解した斜視図である。図２及び図３に示すように、水栓ユニット２０は、水栓本体部２１と、保温材２２と、支持部材２３と、ステー２４と、本体カバー２５とを備える。
【００１８】
水栓本体部２１は、内部に水が通る流路を有する部材であって、水栓ユニット２０の本体部を構成する。水栓本体部２１は、保温材２２によって覆われている。保温材２２は、水栓本体部２１の内部の水が凍結することを防止するための部材である。保温材２２は、例えば、熱伝導率が０．０５Ｗ／ｍ・Ｋ以下のものが好ましい。保温材２２は、より好ましくは、熱伝導率が０．０３Ｗ／ｍ・Ｋ以下である。支持部材２３は、水栓本体部２１とステー２４とを接続することにより水栓本体部２１を支持するための部材である。ステー２４は、水栓本体部２１を浴室の壁に固定するための部材である。本体カバー２５は、水栓本体部２１を覆う部材である。本体カバー２５は、天体カバー２５０と、基礎カバー２５１と、を備え、天体カバー２５０及び基礎カバー２５１は、例えば、ねじによって水栓本体部２１に取り付けられている。
【００１９】
＜水栓本体部＞
図４は、水栓本体部２１が保温材２２で覆われていないときの、水栓ユニット２０の内部の概略構成を示す斜視図である。図４に示すように、水栓本体部２１は、継手２６によって、湯供給源２７及び水供給源２８に接続されている。湯供給源２７及び水供給源２８は、浴室の壁面の内側に設けられる供給管である。継手２６には、止水弁（図示せず）が取り付けられている。止水弁は、湯供給源２７及び水供給源２８からの湯水の供給を止めるための部材である。
【００２０】
図３に示すように、水栓本体部２１には、継手２６とは別の接続部材２９ａが取り付けられている。接続部材２９ａには、シャワーエルボ２９が取り付けられている。シャワーエルボ２９は、シャワーホースを接続するための部材である。
【００２１】
水栓本体部２１には、左側から湯水混合弁３０が取り付けられ、右側から切替弁３１が取り付けられる。湯水混合弁３０は、湯と水とを混合して湯水を吐水するための部材である。湯水混合弁３０は、一般的にサーモカートリッジとも呼ばれる。湯水混合弁３０に対して、湯は湯供給源２７（図４）から供給され、水は水供給源２８（図４）から供給される。切替弁３１は、湯水の吐水量及び吐水方向を変更するための部材である。水栓１０は、湯水混合弁３０及び切替弁３１を備えることで、サーモスタット式水栓と呼ばれる。
【００２２】
図４に示すように、湯水混合弁３０及び切替弁３１の軸方向外側の端部には、ハンドルユニット５０と係り合うギア部３２が設けられている。なお、湯水混合弁３０の軸方向外側の端部のギア部３２は、図４では省略する。
【００２３】
ハンドルユニット５０は、第１ハンドルユニット５０ａと、第２ハンドルユニット５０ｂとを有している。第１ハンドルユニット５０ａは、湯水混合弁３０と接続されており、湯水（混合水）の温度、即ち、吐水の温度を調節する。第２ハンドルユニット５０ｂは、切替弁３１と接続されており、吐水方向及び吐水量を変更する。
【００２４】
図５は、水栓本体部の概略斜視図である。図６は、水栓本体部の一部の概略内部構成図である。図７は、湯供給用枝管部及び水供給用枝管部の延在する方向から見た場合の水栓本体部の一部の概略内部構成図である。図５−図７に示すように、水栓本体部２１は、主管部２１０と、湯供給用枝管部２１１と、水供給用枝管部２１２と、カラン吐水用枝管部２１３と、シャワー吐水用枝管部２１４とを備える。
【００２５】
これらの部材を備える水栓本体部２１は、樹脂により一体に形成される。すなわち、主管部２１０、湯供給用枝管部２１１、水供給用枝管部２１２、カラン吐水用枝管部２１３、及びシャワー吐水用枝管部２１４は、樹脂により一体に形成される。
【００２６】
＜主管部＞
主管部２１０は筒状に形成された管状の部材である。図３に示すように、主管部２１０には、湯水混合弁３０と切替弁３１とが軸方向（Ｙ方向）に並んで内部に嵌合して取り付けられている。主管部２１０の内壁は湯水混合弁３０と切替弁３１を内包する空間を形成し、軸方向に沿って延びている。金型を用いた樹脂成形のために、主管部２１０の内壁を、軸方向の中心側から端部側に向かって外側に僅かに広がるように傾斜させてもよい（例えば傾斜角度が０．２−０．５度）。主管部２１０の軸方向（Ｙ方向）の両端部には、湯水混合弁３０及び切替弁３１を挿入するための開口がそれぞれ形成されている。当該両端部には、ねじ溝が形成されており、キャップ部材３３の裏側に形成されたねじ山と螺合する。ねじ溝は、主管部２１０と、樹脂により一体に形成されている。
【００２７】
図３に示すように、主管部２１０において軸方向両端部には、ハンドルユニット５０及びカラー３４が、キャップ部材３３を覆うように取り付けられる。カラー３４は、ハンドルユニット５０と主管部２１０との間に配置される。
【００２８】
図５−図７に示すように、主管部２１０の側壁には、湯が流入する湯流入口２１０ａ、水が流入する水流入口２１０ｂ、湯と水とが混合された混合水（湯水）が吐水されるカラン吐水口２１０ｃ及びシャワー吐水口２１０ｄが設けられている。
【００２９】
湯流入口２１０ａ、水流入口２１０ｂ、カラン吐水口２１０ｃ及びシャワー吐水口２１０ｄは、湯供給用枝管部２１１、水供給用枝管部２１２、カラン吐水用枝管部２１３及びシャワー吐水用枝管部が設けられている位置にそれぞれ設けられている。
【００３０】
実施の形態１では、主管部２１０の軸方向の長さは、主管部２１０の直径よりも大きい。
【００３１】
＜湯供給用枝部＞
湯供給用枝管部２１１は、主管部２１０の湯流入口２１０ａを含む位置から分岐して形成された管状の部材である。湯供給用枝管部２１１は、湯供給源２７からの湯を湯流入口２１０ａへ供給する湯路２１１ａを内部に形成している。すなわち、湯供給用枝管部２１１は、湯供給源２７と主管部２１０の湯流入口２１０ａとを接続し、内部に湯が流れる湯路２１１ａを形成している。
【００３２】
＜水供給用枝管部＞
水供給用枝管部２１２は、主管部２１０の水流入口２１０ｂを含む位置から分岐して形成された管状の部材である。水供給用枝管部２１２は、水供給源２８からの水を水流入口２１０ｂへ供給する水路２１２ａを内部に形成している。すなわち、水供給用枝管部２１２は、水供給源２８と主管部２１０の水流入口２１０ｂとを接続し、内部に水が流れる水路２１２ａを形成している。
【００３３】
湯供給用枝管部２１１及び水供給用枝管部２１２は、主管部２１０に対して軸方向（Ｙ方向）に並んで設けられる。即ち、湯供給用枝管部２１１と水供給用枝管部２１２とは、隣接して設けられている。
【００３４】
＜カラン吐水用枝管部＞
カラン吐水用枝管部２１３は、主管部２１０のカラン吐水口２１０ｃを含む位置から分岐して形成された部材である。カラン吐水用枝管部２１３は、湯と水とを混合した混合水を吐水するカラン吐水路２１３ａを内部に形成する。実施の形態１では、カラン吐水用枝管部２１３は、カラン吐水を行う吐水管である。
【００３５】
＜シャワー吐水用枝管部＞
シャワー吐水用枝管部２１４は、主管部２１０のシャワー吐水口２１０ｄを含む位置から分岐して形成された部材である。シャワー吐水用枝管部２１４は、浴室の壁に向かって延在し、湯と水とを混合した混合水を吐水するシャワー吐水路２１４ａを内部に形成する。実施の形態１では、シャワー吐水用枝管部２１４は、シャワー吐水を行うための吐水管である。図４に示すように、シャワー吐水用枝管部２１４の壁側の端部には接続部材２９ａが取り付けられる。
【００３６】
＜湯流入口＞
図５に示すように、湯流入口２１０ａは、主管部２１０内部と、湯供給用枝管部２１１内部に形成された湯路２１１ａとを連通する開口である。湯流入口２１０ａは、湯水混合弁３０が取り付けられる側の主管部２１０の一端側に設けられている。
【００３７】
図７に示すように、湯流入口２１０ａは、開口方向から見て、主管部２１０の周方向に長手方向を有すると共に主管部２１０の軸方向に短手方向を有する長孔形状で形成されている。また、湯流入口２１０ａは、角を有していない。「角を有していない」とは、長孔を形成する異なる２辺の交差する部分が角張っておらず、丸められていることを意味する。
【００３８】
湯流入口２１０ａは、開口方向から見て、連続的に湾曲した曲線で形成されている。具体的には、湯流入口２１０ａは、開口方向から見て、開口を拡げる方向になだらかに湾曲した曲線で形成されている。「開口を拡げる方向」とは、開口の中心から半径方向外側に向かう方向を意味する。即ち、開口を拡げる方向になだらかに湾曲した曲線とは、開口の中心から半径方向外側に向かう方向に凸状に湾曲した曲線を意味する。実施の形態１では、湯流入口２１０ａは、開口方向から見て、主管部２１０の周方向に長手方向を有する楕円形状で形成されている。
【００３９】
湯供給用枝管部２１１の湯路２１１ａから湯流入口２１０ａを通って主管部２１０内部へ湯が流入してくるとき、主管部２１０の軸方向に向かって湯が流れるため、湯流入口２１０ａの短手方向の部分においても、応力がかかる。このため、湯流入口２１０ａの短手方向の部分を、主管部２１０の軸方向に対して湾曲させることが好ましい。
【００４０】
図６に示すように、湯流入口２１０ａの開口面積は、湯路２１１ａの流路断面積より小さい。
【００４１】
図８は、図６の水栓本体部をＡ−Ａ線で切断した概略断面図である。図８に示すように、湯流入口２１０ａは、湯路２１１ａから主管部２１０に向かって連続して形成されておいる。また、図６に示すように、湯流入口２１０ａが設けられている部分の主管部２１０の厚みＤ１は、それ以外の部分の主管部２１０の厚みＤ２より大きい。「それ以外の部分の主管部２１０の厚みＤ２」とは、例えば、切替弁３１が取り付けられる側の部分の主管部２１０の厚みを意味する。
【００４２】
図６に示すように、湯流入口２１０ａは、湯供給用枝管部２１１の中心軸ＣＬ１に対して偏心している。湯流入口２１０ａは、主管部２１０内部に取り付けられた湯水混合弁３０に設けられた湯が流れる流路の位置に合わせて設けられている。即ち、湯流入口２１０ａを中心軸ＣＬ１に対して偏心させて設けることによって、湯水混合弁３０と湯流入口２１０ａとの位置合わせを容易に行うことができる。
【００４３】
＜水流入口＞
図５に示すように、水流入口２１０ｂは、主管部２１０内部と、水供給用枝管部２１２内部に形成された水路２１２ａとを連通する開口である。水流入口２１０ｂは、湯水混合弁３０が取り付けられる側の主管部２１０の一端側に設けられている。また、水流入口２１０ｂは、湯流入口２１０ａよりも主管部２１０の中央側に設けられている。
【００４４】
水流入口２１０ｂについても、湯流入口２１０ａと同様に、開口方向から見て、主管部２１０の周方向に長手方向を有すると共に主管部２１０の軸方向に短手方向を有する長孔形状で形成されている。また、水流入口２１０ｂは、角を有していない。
【００４５】
水流入口２１０ｂは、開口方向から見て、連続的に湾曲した曲線で形成されている。具体的には、水流入口２１０ｂは、開口方向から見て、開口を拡げる方向になだらかに湾曲した曲線で形成されている。実施の形態１では、水流入口２１０ｂは、開口方向から見て、主管部２１０の周方向に長手方向を有する楕円形状で形成されている。
【００４６】
図６に示すように、水流入口２１０ｂの開口面積は、水路２１２ａの流路断面積より小さい。
【００４７】
また、湯流入口２１０ａと同様に、水流入口２１０ｂは、水路２１１ｂから主管部２１０に向かって連続して形成されている。水流入口２１０ｂが設けられている部分の主管部２１０の厚みＤ１は、それ以外の部分の主管部２１０の厚みＤ２より大きい。
【００４８】
実施の形態１では、第１部分と第２部分の厚さは、同じ大きさで形成されている。
【００４９】
図６に示すように、水流入口２１０ｂは、水供給用枝管部２１２の中心軸ＣＬ２に対して偏心している。水流入口２１０ｂは、主管部２１０内部に取り付けられた湯水混合弁３０に設けられた水が流れる流路の位置に合わせて設けられている。即ち、水流入口２１０ｂを中心軸ＣＬ２に対して偏心させて設けることによって、湯水混合弁３０と水流入口２１０ｂとの位置合わせを容易に行うことができる。
【００５０】
［効果］
実施の形態１に係る水栓１０によれば、以下の効果を奏することができる。
【００５１】
水栓１０は、湯水混合弁３０と切替弁３１とが内部に取り付けられ、且つ、湯水混合弁３０に連通する湯流入口２１０ａ及び水流入口２１０ｂを形成した主管部２１０と、湯供給用枝管部２１１と、水供給用枝管部２１２と、を備える。主管部２１０、湯供給用枝管部２１１、及び水供給用枝管部２１２は、樹脂により一体で形成されている。湯流入口２１０ａ及び水流入口２１０ｂのそれぞれは、開口方向から見て、主管部２１０の周方向に長手方向を有し、且つ、角を有しない長孔形状を有している。
【００５２】
このような構成により、樹脂製の主管部２１０に設けられた湯流入口２１０ａ及び水流入口２１０ｂにかかる応力を低減することができる。その結果、水栓１０の耐久性を向上させることができる。
【００５３】
より詳細に説明すると、湯供給源２７及び水供給源２８からそれぞれ供給されてきた湯及び水が主管部２１０に設けられた湯流入口２１０ａ及び水流入口２１０ｂを通って主管部２１０内部に流入する。このとき、湯流入口２１０ａ及び水流入口２１０ｂにおいて、主管部２１０の周方向に応力が集中しやすい。水栓１０においては、湯流入口２１０ａ及び水流入口２１０ｂを、主管部２１０の周方向に長手方向を有し、且つ角を有しない長孔形状とすることで、応力が集中することを抑制することができる。このため、湯流入口２１０ａ及び水流入口２１０ｂに亀裂が入るのを抑制し、主管部２１０が破損するのを抑制することができる。
【００５４】
湯流入口２１０ａ及び水流入口２１０ｂのそれぞれは、開口方向から見て、湾曲した曲線で形成されていることが好ましい。より好ましくは、湯流入口２１０ａ及び水流入口２１０ｂのそれぞれは、開口方向から見て、楕円形状を有する。
【００５５】
このような構成により、湯流入口２１０ａ及び水流入口２１０ｂにかかる応力を更に低減することができる。
【００５６】
湯流入口２１０ａの開口面積は、湯路２１１ａの流路断面積より小さく、水流入口２１０ｂの開口面積は、水路２１２ａの流路断面積より小さい。
【００５７】
このような構成により、湯流入口２１０ａ及び水流入口２１０ｂを通って主管部１２０内部へ流入する湯及び水の流量を確保しつつ、湯流入口２１０ａ及び水流入口２１０ｂにかかる応力を低減することができる。
【００５８】
湯流入口２１０ａは、湯路２１１ａから主管部２１０に向かって連続して形成されており、水流入口２１０ｂは、水路２１１ｂから主管部２１０に向かって連続して形成されている。また、湯流入口２１０ａ及び水流入口２１０ｂが設けられている部分の主管部２１０の厚みＤ１は、それ以外の部分の主管部２１０の厚みＤ２より大きい。
【００５９】
このような構成により、主管部２１０と湯路２１１ａとの接続箇所にかかる応力、及び主管部２１０と水路２１２ａとの接続箇所にかかる応力を低減することができる。これにより、主管部２１０と湯路２１１ａとの接続箇所、及び主管部２１０と水路２１２ａとの接続箇所の耐久性を向上させることができる。
【００６０】
湯流入口２１０ａは、湯供給用枝管部２１１の中心軸ＣＬ１に対して偏心しており、水流入口２１０ｂは、水供給用枝管部２１２の中心軸ＣＬ２に対して偏心している。
【００６１】
このような構成により、湯水混合弁３０に対する湯流入口２１０ａ及び水流入口２１０ｂの位置合わせを容易に行うことができる。具体的には、湯水混合弁３０を湯供給用枝管部２１１の中心軸ＣＬ１に対して偏心させることによって、湯水混合弁３０を主管部２１０内部に取り付けられた湯水混合弁３０の流路に容易に位置合わせることができる。また、水流入口２１０ｂを水供給用枝管部２１２の中心軸ＣＬ２に対して偏心させることによって、水流入口２１０ｂを主管部２１０内部に取り付けられた湯水混合弁３０の流路に容易に位置合わせることができる。
【００６２】
なお、実施の形態１では、湯流入口２１０ａ及び水流入口２１０ｂは、楕円形状である例について説明したが、これに限定されない。湯流入口２１０ａ及び水流入口２１０ｂは、開口方向から見て、主管部２１０の周方向に長手方向を有し、且つ、角を有しない長孔形状に形成されていればよい。
【００６３】
実施の形態１では、湯流入口２１０ａは湯供給用枝管部２１１の中心軸ＣＬ１に対して偏心しており、水流入口２１０ｂは水供給用枝管部２１２の中心軸ＣＬ２に対して偏心している例について説明したが、これに限定されない。湯流入口２１０ａは湯供給用枝管部２１１の中心軸ＣＬ１上にあってもよいし、水流入口２１０ｂは水供給用枝管部２１２の中心軸ＣＬ２上にあってもよい。
【００６４】
本発明をある程度の詳細さをもって各実施形態において説明したが、これらの実施形態の開示内容は構成の細部において変化してしかるべきものである。また、実施形態における要素の組合せや順序の変化は、本開示の範囲及び思想を逸脱することなく実現し得るものである。
【産業上の利用可能性】
【００６５】
本発明は、樹脂製の水栓において耐久性を向上させることができる。
【符号の説明】
【００６６】
１０  水栓
２０  水栓ユニット
２１  水栓本体部
２１０  主管部
２１０ａ  湯流入口
２１０ｂ  水流入口
２１０ｃ  カラン吐水口
２１０ｄ  シャワー吐水口
２１１  湯供給用枝管部
２１１ａ  湯路
２１２  水供給用枝管部
２１２ａ  水路
２１３  カラン吐水用枝管部
２１３ａ  カラン吐水路
２１４  シャワー吐水用枝管部
２１４ａ  シャワー吐水路
２２  保温材
２３  支持部材
２４  ステー
２５  本体カバー
２５０  天体カバー
２５１  基礎カバー
２６  継手
２７  湯供給源
２８  水供給源
２９  シャワーエルボ
２９ａ  接続部材
３０  湯水混合弁
３１  切替弁
３２  ギア部
３３  キャップ部材
３４  カラー
５０  ハンドルユニット
ＣＬ１，ＣＬ２  中心軸
Ｄ１，Ｄ２  厚み
【図１】
2019082227.tif 000003
【図２】
2019082227.tif 000004
【図３】
2019082227.tif 000005
【図４】
2019082227.tif 000006
【図５】
2019082227.tif 000007
【図６】
2019082227.tif 000008
【図７】
2019082227.tif 000009
【図８】
2019082227.tif 000010